(57)【要約】【課題】簡易な構成で、製造が容易なスライドスイッチを提供する。【解決手段】本スライドスイッチ１は、所定方向にスライド可能なスライド部材３と、このスライド部材に固定され、スライド部材とともにスライド可能に設けられた可動接点部材５と、を備え、可動接点部材のスライドにより固定接点７Ａ、７Ｂ間の接続を切り換えるスイッチである。スライドスイッチ１は、可動接点部材が板状の弾性体からなり、スライド部材に、可動接点部材が挿入される挿入部９が形成されている。そして、可動接点部材は、挿入部に弾性変形した状態で挿入されていることによりスライド部材に固定されている。【選択図】図１
2015198030.tif 000002
【特許請求の範囲】
【請求項１】
所定方向にスライド可能なスライド部材と、
前記スライド部材に固定され、前記スライド部材とともにスライド可能に設けられた可動接点部材と、を備え、
前記可動接点部材のスライドにより固定接点間の接続を切り換えるスライドスイッチであって、
前記可動接点部材は、板状の弾性体からなり、
前記スライド部材には、前記可動接点部材が挿入される挿入部が形成されており、
前記可動接点部材は、前記挿入部に弾性変形した状態で挿入されていることにより前記スライド部材に固定されていることを特徴とするスライドスイッチ。
【請求項２】
前記可動接点部材には係合部が設けられており、
前記スライド部材には、前記係合部と係合する被係合部が設けられており、
前記可動接点部材は、前記係合部が前記被係合部に係合していることにより固定されていることを特徴とする請求項１に記載のスライドスイッチ。
【請求項３】
前記係合部は、板状をなす前記可動接点部材の一方の面側に突出する凸状に形成されており、
前記被係合部は、前記挿入部の内壁に凹状に形成されており、
前記係合部は、前記弾性変形した前記可動接点部材の反力によって前記被係合部と係合していることを特徴とする請求項２記載のスライドスイッチ。
【請求項４】
前記被係合部は、前記挿入部の内壁に複数設けられていることを特徴とする請求項２又は３に記載のスライドスイッチ。
【発明の詳細な説明】
【技術分野】
【０００１】
本発明は、スライドスイッチに関し、さらに詳しくは、簡易な構成で、製造が容易なスライドスイッチに関する。
【背景技術】
【０００２】
従来、所定方向にスライド可能なスライド部材と、このスライド部材に固定され、スライド部材とともにスライド可能に設けられた可動接点部材と、を備えたスライドスイッチが知られている。このものでは、可動接点部材のスライドにより固定接点間の接続を切り換える（例えば、特許文献１参照）。
【先行技術文献】
【特許文献】
【０００３】
【特許文献１】特開平３−２３８７２０号公報
【発明の概要】
【発明が解決しようとする課題】
【０００４】
上記特許文献１の場合、スライド部材及び可動接点部材に相当するスライドスイッチ部品及び導電接触片は、インサート成形により一体的に形成されている。このため、インサート成形のための設備が必要であり、製造が煩雑である。
また、スライド部材と可動接点部材をビス留めにより固定するものも知られている。この場合には、ビス留め工程が必要である。ビス留め作業では、通常、締めすぎ、緩みすぎなどを防止するための締結力の管理が必要であり、煩雑である。また、ビスが必要なので部品点数が増加してしまうとともに、ビス穴を設ける必要があるため構造が複雑になってしまう。
本発明は、上記現状に鑑みてなされたものであり、簡易な構成で、製造が容易なスライドスイッチを提供することを目的とする。
【課題を解決するための手段】
【０００５】
上記問題を解決するために、請求項１に記載の発明は、所定方向にスライド可能なスライド部材と、
前記スライド部材に固定され、前記スライド部材とともにスライド可能に設けられた可動接点部材と、を備え、
前記可動接点部材のスライドにより固定接点間の接続を切り換えるスライドスイッチであって、
前記可動接点部材は、板状の弾性体からなり、
前記スライド部材には、前記可動接点部材が挿入される挿入部が形成されており、
前記可動接点部材は、前記挿入部に弾性変形した状態で挿入されていることにより前記スライド部材に固定されていることを要旨とする。
請求項２に記載の発明は、請求項１記載において、前記可動接点部材には係合部が設けられており、
前記スライド部材には、前記係合部と係合する被係合部が設けられており、
前記可動接点部材は、前記係合部が前記被係合部に係合していることにより固定されていることを要旨とする。
請求項３に記載の発明は、請求項２記載において、前記係合部は、板状をなす前記可動接点部材の一方の面側に突出する凸状に形成されており、
前記被係合部は、前記挿入部の内壁に凹状に形成されており、
前記係合部は、前記弾性変形した前記可動接点部材の反力によって前記被係合部と係合していることを要旨とする。
請求項４に記載の発明は、請求項２又は３記載において、前記被係合部は、前記挿入部の内壁に複数設けられていることを要旨とする。
【発明の効果】
【０００６】
本発明のスライドスイッチによると、可動接点部材は板状の弾性体からなり、スライド部材には、この可動接点部材が挿入される挿入部が形成されている。そして、可動接点部材は、弾性変形した状態で挿入部に挿入されている。このため、可動接点部材の取り付け、取り外しが容易である。また、インサート成形やビス留めによる取り付けと比較して簡易な構成であるので、スライドスイッチ自体の製造が容易である。
また、可動接点部材に係合部が設けられており、スライド部材に係合部と係合する被係合部が設けられており、さらに、可動接点部材が、係合部が被係合部に係合していることにより固定されている場合は、以下の効果を奏する。すなわち、係合部と被係合部との係合により、可動接点部材をスライド部材に確実に固定することができるので、可動接点部材の挿入部からのズレや脱落を防止することができる。
また、係合部が、板状をなす可動接点部材の一方の面側に突出する凸状に形成されており、被係合部が、挿入部の内壁に凹状に形成されており、さらに、係合部が、弾性変形した可動接点部材の反力によって被係合部と係合している場合は、以下の効果を奏する。すなわち、係合部と被係合部との係合をより確実なものとすることができ、可動接点部材の挿入部からのズレや脱落をより確実に防止することができる。
また、被係合部が、挿入部の内壁に複数設けられている場合は、以下の効果を奏する。すなわち、可動接点部材を取り付ける際に、使用する被係合部を変更することができるので、取り付ける可動接点部材のバリエーションが増え、汎用性を向上させることができる。
【図面の簡単な説明】
【０００７】
本発明について、本発明による典型的な実施形態の非限定的な例を挙げ、言及された複数の図面を参照しつつ以下の詳細な記述にて更に説明するが、同様の参照符号は図面のいくつかの図を通して同様の部品を示す。
【図１】実施例に係るスライドスイッチを示す側面図である。
【図２】実施例に係るスライドスイッチを示す斜視図である。
【図３】実施例に係るスライド部材を示す側面図である。
【図４】実施例に係る可動接点部材を示す側面図である。
【図５】実施例に係るスライドスイッチの作用を説明するための説明図である。
【図６】実施例に係るスライドスイッチの作用を説明するための説明図である。
【図７】実施例に係るスライドスイッチの作用を説明するための説明図である。
【図８】実施例に係るスライドスイッチの作用を説明するための説明図である。
【図９】実施例に係るスライドスイッチの作用を説明するための説明図である。
【図１０】実施例に係るスライドスイッチの作用を説明するための説明図である。
【図１１】他の実施形態に係るスライドスイッチを説明するための説明図である。
【図１２】他の実施形態に係るスライドスイッチを説明するための説明図である。
【発明を実施するための形態】
【０００８】
ここで示される事項は例示的なものおよび本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【０００９】
本実施形態に係るスライドスイッチ（１）は、所定方向にスライド可能なスライド部材（３）と、このスライド部材（３）に固定され、スライド部材（３）とともにスライド可能に設けられた可動接点部材（５）と、を備えている。スライドスイッチ（１）は、可動接点部材（５）のスライドにより固定接点（７）間の接続を切り換えるスイッチである（例えば、図１、図２等参照）。
スライド部材（３）には、可動接点部材（５）が挿入される挿入部（９）が形成されている。挿入部（９）の形態としては、例えば、スリット（例えば、図１〜図３等参照）、穴等の形態であることができる。
【００１０】
可動接点部材（５）は、板状の弾性体からなる。可動接点部材（５）は、挿入部（９）に弾性変形した状態で挿入されていることによりスライド部材（３）に固定されている。また、可動接点部材（５）は、その一部又は全体が銅、銅合金等の金属の導電性材料からなり、複数の固定接点（７）間を電気的に接続可能に設けられている。
可動接点部材（５）は、平板状であってもよいが、屈曲部（１１）を有する折り曲げられた形状であることが好ましい。この場合、可動接点部材（５）の形状としては、略Ｍ字状（例えば、図１、図２、図４等参照）、略Ｖ字状、略Ｗ字状等であることができる。
【００１１】
屈曲部（１１）は、例えば、略円弧状に形成されていることができる（例えば、図４等参照）。これにより、弾性変形の際の応力を分散させることができて好ましい。屈曲部（１１）が複数形成されている場合、それらのうちの１つの屈曲部（１１）のみが略円弧状に形成されていてもよいし（例えば、図４等参照）、２つ以上の屈曲部（１１）が略円弧状に形成されていてもよい（例えば、図１２等参照）。
【００１２】
本実施形態に係るスライドスイッチ（１）は、例えば、可動接点部材（５）に係合部（１３）が設けられており、スライド部材（３）に、係合部（１３）と係合する被係合部（１５）が設けられている。そして、可動接点部材（５）は、係合部（１３）が被係合部（１５）に係合していることにより固定されている形態であることができる（例えば、図１〜図４等参照）。
【００１３】
係合部（１３）の形態は特に限定されないが、例えば、凸状（爪状）、凹状（穴状）等であることができる。具体的には、例えば、係合部（１３）は、板状をなす可動接点部材（５）の一方の面に突出する凸状に形成された形状であることができる（例えば、図１、図４等参照）。この場合、係合部（１３）の突出方向は、可動接点部材（５）が挿入部（９）に挿入されて弾性変形した状態において、この弾性変形した可動接点部材の反力の働く方向と同方向であることが好ましい。これにより、反力を利用して、係合部（１３）と被係合部（１５）とをより確実に係合させることができるからである。
【００１４】
被係合部（１５）は、係合部（１３）係合する限り、その形態は特に限定されない。被係合部（１５）は、例えば、凹状、凸状等であることができる。係合部（１３）が上述の凸状である場合、被係合部（１５）は、挿入部（９）の内壁に凹状に形成されている形態であることができる（例えば、図１、図３等参照）。
係合部（１３）は、例えば、弾性変形した可動接点部材（５）の反力によって被係合部（１５）と係合している形態であることができる（例えば、図７、図８等参照）。
【００１５】
被係合部（１５）は、例えば、挿入部（９）の内壁に複数設けられている形態であることができる（例えば、図１１等参照）。すなわち、被係合部（１５）は、１つの係合部（１３）に対して、２つ以上が設けられていることができる。この場合には、可動接点部材（５）を取り付ける際に、使用する被係合部（１５）を変更することができるので、取り付ける可動接点部材（５）のバリエーションが増え、汎用性を向上させることができる。また、このように被係合部（１５）が複数設けられている場合、係合部（１３）の形態の異なる複数種類の可動接点部材（５）の取り付けが可能となる。
【００１６】
なお、上記実施形態で記載した各構成の括弧内の符号は、後述する実施例に記載の具体的構成との対応関係を示すものである。
【実施例】
【００１７】
以下、図面を用いて実施例により本発明を具体的に説明する。
（１）    スライドスイッチの構成
本実施例に係るスライドスイッチ１は、図１及び図２に示すように、所定方向（図中破線矢印方向）にスライド可能なスライド部材３と、このスライド部材３に固定され、スライド部材３とともにスライド可能に設けられた可動接点部材５と、を備えている。スライドスイッチ１は、可動接点部材５のスライドにより、固定接点７Ａ、７Ｂ間の接続を切り換えるように設けられている。すなわち、スライドスイッチ１は、固定接点７Ａ、７Ｂ間の電流のオン／オフを切り換えるように設けられている。
【００１８】
図３に示すように、スライド部材３には挿入部９が形成されている。本実施例において、挿入部９は、可動接点部材５を挿入可能にスリット状に形成されている。
可動接点部材５は板状の弾性体から形成されている。可動接点部材５は、挿入部９に弾性変形した状態で挿入されている。これにより、可動接点部材５はスライド部材３に固定されている。図４に示すように、本実施例において、可動接点部材５は、３箇所の屈曲部１１Ａ、１１Ｂ、１１Ｃを有しており、全体として略Ｍ字状に形成されている。３箇所の屈曲部１１Ａ、１１Ｂ、１１Ｃのうち、中央部の屈曲部１１Ｂは、略円弧状に屈曲されている。
【００１９】
本実施例では、図５に示すように、弾性変形する前の状態の可動接点部材５は、略Ｍ字状をなす形状の両肩に相当する位置の２つの屈曲部１１Ａ、１１Ｃを結んだ仮想線と、中央の屈曲部１１と、の距離Ｌが、スリット状をなす挿入部９のスリット幅Ｗよりも大きく設定されている。弾性変形した状態で挿入部９に挿入された可動接点部材５は、その反力により、挿入部９の内壁に突っ張るようにして当接している。
【００２０】
図４に示すように、本実施例において、可動接点部材５には係合部１３が形成されている。また、図３に示すように、スライド部材３には、係合部１３と係合する被係合部１５が設けられている。可動接点部材５は、係合部１３が被係合部１５に係合していることにより、スライド部材３に固定されている。
【００２１】
係合部１３は、板状をなす可動接点部材５の一方の面側に突出する凸状に形成されている。本実施例において、係合部１３は、屈曲部１１Ａと屈曲部１１Ｂとの間、及び屈曲部１１Ｂと屈曲部１１Ｃとの間にそれぞれ設けられている。また、係合部１３は、可動接点部材５の弾性変形の反力の方向と同方向に突出するように形成されている。
被係合部１５は、スリット状に形成された挿入部９の内壁に凹状に形成されている。本実施例において、被係合部１５は２つ設けられている。２つの被係合部１５は、各係合部１３に対応する位置にそれぞれ設けられている。
係合部１３は、弾性変形した可動接点部材５の反力によって被係合部１５と係合している。すなわち、係合部１３と被係合部１５は、弾性変形した状態で挿入部９に挿入された可動接点部材５の反力により、係合部１３が被係合部１５の方向へ押しつけられるようにして係合している。
【００２２】
（２）スライドスイッチの作用
次に上記構成のスライドスイッチ１の作用について説明する。
可動接点部材５をスライド部材３へ取り付ける際には、図５及び図６に示すように、最初に、中央の屈曲部１１Ｂを中心として、両肩の屈曲部１１Ａ、１１Ｃを押し下げるようにして、可動接点部材５を撓ませる。このとき、距離Ｌがスリット幅Ｗよりも小さくなるまで、十分に撓ませる。
【００２３】
次に、図７に示すように、撓ませた状態のまま可動接点部材５を挿入部９へ挿入する。そして、可動接点部材５を撓ませている力を解除すると、可動接点部材５は弾性変形する前の形状に戻ろうとする。しかしながら、挿入部９のスリット幅Ｗは、弾性変形する前の状態における距離Ｌよりも小さいので、可動接点部材５は挿入部９の内壁に突っ張るように当接する。この状態では、弾性変形による反力が生じており、可動接点部材５はスライド部材３に確実に固定されることとなる。係合部１３は、この弾性変形の反力が生じた状態で被係合部１５と係合している。このため、可動接点部材５はスライド部材３により強固に固定されている。
【００２４】
また、図９及び図１０に示すように、可動接点部材５は、略Ｍ字状をなす形状の両端部をそれぞれ接点１７Ａ、１７Ｂとして、固定接点７Ａ、７Ｂと接触するようになっている。これらの接点１７Ａ、１７Ｂのうち、接点１７Ａは、スライド部材３のスライドにより、図９に示すような固定接点７Ａに接触している状態と、図１０に示すような固定接点７Ａに接触していない状態と、が切り替えられる。一方、接点１７Ｂは、スライド部材３のスライドに因らず、固定接点７Ｂに常に接触した状態となっている。
このとき、いずれの接点１７Ａ、１７Ｂも、固定接点７Ａ、７Ｂに弾性変形が生じた状態で押しつけられるようにして接触している。ここにおいても、係合部１３が被係合部１５から外れる方向の力と反対の方向の力が作用しており、係合部１３は被係合部１５からより外れにくくなっている。
【００２５】
（３）実施例の効果
次に上記構成のスライドスイッチ１の効果について説明する。
本実施例に係るスライドスイッチ１は、可動接点部材５は板状の弾性体からなり、スライド部材３には、この可動接点部材５が挿入される挿入部９が形成されている。そして、可動接点部材５は、弾性変形した状態で挿入部９に挿入されている。このため、可動接点部材５の取り付け、取り外しが容易である。従って、スライド部材３及び可動接点部材５うちのいずれか一方に不具合が発見された場合でも、不具合のある部材のみを簡単に交換することができる。また、インサート成形やビス留めによる取り付けと比較して簡易な構成であるので、スライドスイッチ１自体の製造も容易である。
【００２６】
また、本実施例では、可動接点部材５は、弾性変形した状態で挿入部９に挿入されている。そして、略Ｍ字状に形成された可動接点部材５は、３つの屈曲部１１Ａ、１１Ｂ、１１Ｃにおいて挿入部９の内壁に当接している。これにより、可動接点部材５を、より強固にスライド部材３に固定することができる。
【００２７】
また、本実施例では、可動接点部材５には係合部１３が設けられており、スライド部材３には係合部１３と係合する被係合部１５が設けられている。そして、可動接点部材５は、係合部１３が被係合部１５に係合していることにより固定されている。このため、係合部１３と被係合部１５との係合をより確実なものとすることができ、可動接点部材５の挿入部９からのズレや脱落を防止することができる。特に、本実施例に係るスライドスイッチ１では、スライド部材３をスライドさせた際でも、係合部１３と被係合部１５との係合が確実である。
【００２８】
また、本実施例では、係合部１３は、板状をなす可動接点部材５の一方の面側に突出する凸状に形成されており、被係合部１５は、挿入部９の内壁に凹状に形成されている。そして、係合部１３は、弾性変形した可動接点部材５の反力によって被係合部１５と係合している。これにより、係合部１３と被係合部１５との係合をより確実なものとすることができ、可動接点部材５の挿入部９からのズレや脱落をより確実に防止することができる。
また、本実施例では、屈曲部１１Ｂを略円弧状に設けるようにしたので、弾性変形における応力集中を抑制することができる。
【００２９】
尚、本発明においては、上記実施例に限られず、目的、用途に応じて本発明の範囲内で種々変更した実施例とすることができる。すなわち、上記実施例では、係合部１３と被係合部１５とを、それぞれ２つを１組として設けるようにしたが、これに限定されず、例えば、図１１に示すように、１つ又は１組の係合部に対して２つ又は２組以上の被係合部を設けるようにしてもよい。これにより、取り付け方向や取り付け位置の異なる形態の可動接点部材に対応させたり、異なる種類の可動接点部材に対応させたりすることができ、汎用性を向上させることができる。
【００３０】
また、上記実施例では、可動接点部材５に３箇所の屈曲部１１Ａ、１１Ｂ、１１Ｃを設けるようにしたが、これに限定されず、例えば、屈曲部を１箇所のみや２箇所のみ設ける形態としてもよいし、４箇所以上に設ける形態としてもよい。さらに、屈曲部を設けない形態としてもよい。
【００３１】
また、上記実施例では、３箇所の屈曲部１１Ａ、１１Ｂ、１１Ｃのうちの中央の屈曲部１１Ｂを略円弧状に屈曲させるようにしたが、これに限定されず、例えば、図１２に示すように、他の屈曲部も略円弧状に屈曲させてもよい。また、屈曲部を略円弧状に形成しない形態としてもよい。
また、上記実施例では、可動接点部材５に係合部１３を設ける形態を示したが、これに限定されず、例えば、係合部を設けない形態としてもよい。また、この場合、被係合部を設けない形態としてもよい。
【００３２】
前述の例は単に説明を目的とするものでしかなく、本発明を限定するものと解釈されるものではない。本発明を典型的な実施形態の例を挙げて説明したが、本発明の記述および図示において使用された文言は、限定的な文言ではなく説明的および例示的なものであると理解される。ここで詳述したように、その形態において本発明の範囲または精神から逸脱することなく、添付の特許請求の範囲内で変更が可能である。ここでは、本発明の詳述に特定の構造、材料および実施例を参照したが、本発明をここにおける開示事項に限定することを意図するものではなく、むしろ、本発明は添付の特許請求の範囲内における、機能的に同等の構造、方法、使用の全てに及ぶものとする。
【００３３】
本発明は上記で詳述した実施形態に限定されず、本発明の請求項に示した範囲で様々な変形または変更が可能である。
【産業上の利用可能性】
【００３４】
スライドスイッチに関する技術として広く利用される。
【符号の説明】
【００３５】
１；スライドスイッチ
３；スライド部材
５；可動接点部材
７Ａ、７Ｂ；固定接点
９；挿入部
１１Ａ、１１Ｂ、１１Ｃ；屈曲部
１３；係合部
１５；被係合部
１７Ａ、１７Ｂ；接点
【図１】
2015198030.tif 000003
【図２】
2015198030.tif 000004
【図３】
2015198030.tif 000005
【図４】
2015198030.tif 000006
【図５】
2015198030.tif 000007
【図６】
2015198030.tif 000008
【図７】
2015198030.tif 000009
【図８】
2015198030.tif 000010
【図９】
2015198030.tif 000011
【図１０】
2015198030.tif 000012
【図１１】
2015198030.tif 000013
【図１２】
2015198030.tif 000014